【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のためのワイヤレス通信の方法であって、
テーブルから取得された基本シーケンスを使用して基準信号を生成すること、前記テーブルが、しきい値を下回るピーク対平均電力比（ＰＡＰＲ）を各々が有する複数の基本シーケンスを含む、ここにおいて、前記テーブルが第１の無線アクセス技術（ＲＡＴ）と関連付けられた基本シーケンスを備える、と、
ここにおいて、前記複数の基本シーケンスの各々の基本シーケンスのための前記ＰＡＰＲが、前記第１のＲＡＴとは異なる第２のＲＡＴのための基準信号生成に使用される第２の複数の基本シーケンスの任意の基本シーケンスの前記ＰＡＰＲよりも低い、
前記基準信号を基地局に送信することと
を備える方法。
【請求項２】
前記テーブル内に備えられた前記複数の基本シーケンスの各々が第１の無線アクセス技術（ＲＡＴ）に関連付けられ、第１のシーケンスセットＰＡＰＲメトリックが、異なるＲＡＴに関連付けられた第２のシーケンスセットＰＡＰＲメトリックよりも低い、請求項１に記載の方法。
【請求項３】
前記異なるＲＡＴがロングタームエボリューション（ＬＴＥ（登録商標））を備える、請求項２に記載の方法。
【請求項４】
前記第１のＲＡＴが新無線（ＮＲ）を備える、請求項３に記載の方法。
【請求項５】
各基本シーケンスが１８のシーケンス長を有する、請求項１に記載の方法。
【請求項６】
前記テーブルが、第１の基本シーケンスと、前記第１の基本シーケンスのシンボルごとの反転、前記第１の基本シーケンスのシンボルごとの共役、または前記第１の基本シーケンスのシンボルごとの共役および反転、のうち少なくとも１つとを備えるシーケンスの少なくとも１つのペアを備える、請求項１に記載の方法。
【請求項７】
前記複数の基本シーケンスが、前記テーブル内に備えられた少なくとも１つの基本シーケンスの時間サイクリックシフトされたバージョンと一定位相シフトされたバージョンとを含む基本シーケンスのセットを表す、請求項１に記載の方法。
【請求項８】
前記基準信号をアップリンク送信と多重化すること、ここにおいて、前記基準信号が、前記アップリンク送信とともに送信される、
をさらに備える、請求項１に記載の方法。
【請求項９】
前記テーブル内に備えられた前記複数の基本シーケンスの各々が第１の無線アクセス技術（ＲＡＴ）に関連付けられ、前記テーブル内の前記複数の基本シーケンスの各々と、異なるＲＡＴに関連付けられた基本シーケンスのセットの各基本シーケンスとの第１のペアリングに対する第１の相互相関値が第１の相互相関しきい値以下である、請求項１に記載の方法。
【請求項１０】
前記テーブル内の前記複数の基本シーケンス内の基本シーケンスの各ペアリングに対する第２の相互相関値が第２の相互相関しきい値を下回る、請求項９に記載の方法。
【請求項１１】
前記テーブル内に備えられた前記複数の基本シーケンスが、少なくとも、
−３，３，−１，−３，−１，−３，１，１，−３，−３，−１，−１，３，−３，１，３，１，１；
−３，−３，１，−３，３，３，３，−１，３，１，１，−３，−３，−３，３，−３，−１，−１；
−３，１，−３，−３，１，−３，−３，３，１，−３，−１，−３，−３，−３，−１，１，１，３；
−３，３，１，−１，−１，−１，−１，１，−１，３，３，−３，−１，１，３，−１，３，−１；
−３，−３，１，−１，−１，１，１，−３，−１，３，３，３，３，−１，３，１，３，１；
−３，−３，３，３，−３，１，３，−１，−３，１，−１，−３，３，−３，−１，−１，−１，３；
−３，−３，３，３，３，１，−３，１，３，３，１，−３，−３，３，−１，−３，−１，１；
−３，３，−１，１，３，１，−３，−１，１，１，−３，１，３，３，−１，−３，−３，−３；
−３，１，−３，−１，−１，３，１，−３，−３，−３，−１，−３，−３，１，１，１，−１，−１；
−３，−３，３，３，３，−１，−１，−３，−１，−１，−１，３，１，−３，−３，−１，３，−１；
−３，−１，３，３，−１，３，−１，−３，−１，１，−１，−３，−１，−１，−１，３，３，１；
−３，−１，−３，−１，−３，１，３，−３，−１，３，３，３，１，−１，−３，３，−１，−３；
−３，３，１，−１，−１，３，−３，−１，１，１，１，１，１，−１，３，−１，−３，−１；
−３，−１，−１，−３，１，−３，３，−１，−１，−３，３，３，−３，−１，３，−１，−１，−１；および
−３，−３，−３，１，−３，３，１，１，３，−３，−３，１，３，−１，３，−３，−３，３
のサブセットを含む、請求項１に記載の方法。
【請求項１２】
ユーザ機器（ＵＥ）のワイヤレス通信のための装置であって、
メモリと、
前記メモリに結合され、
テーブルから取得された基本シーケンスを使用して基準信号を生成すること、前記テーブルが、しきい値を下回るピーク対平均電力比（ＰＡＰＲ）を各々が有する複数の基本シーケンスを含む、ここにおいて、前記テーブルが第１の無線アクセス技術（ＲＡＴ）と関連付けられた基本シーケンスを備える、と、
ここにおいて、前記複数の基本シーケンスの各々の基本シーケンスのための前記ＰＡＰＲが、前記第１のＲＡＴとは異なる第２のＲＡＴのための基準信号生成に使用される第２の複数の基本シーケンスの任意の基本シーケンスの前記ＰＡＰＲよりも低い、
前記基準信号を基地局に送信することと
を行うように構成された少なくとも１つのプロセッサと
を備える装置。
【請求項１３】
請求項１２に記載された装置であって、次の
１）前記テーブル内に備えられた前記複数の基本シーケンスの各々が第１の無線アクセス技術（ＲＡＴ）に関連付けられ、第１のシーケンスセットＰＡＰＲメトリックが、異なるＲＡＴに関連付けられた第２のシーケンスセットＰＡＰＲメトリックよりも低い、
２）各基本シーケンスが１８のシーケンス長を有する、
３）前記テーブルが、第１の基本シーケンスと、前記第１の基本シーケンスのシンボルごとの反転、前記第１の基本シーケンスのシンボルごとの共役、または前記第１の基本シーケンスのシンボルごとの共役および反転、のうち少なくとも１つとを備えるシーケンスの少なくとも１つのペアを備える、
４）前記複数の基本シーケンスが、前記テーブル内に備えられた少なくとも１つの基本シーケンスの時間サイクリックシフトされたバージョンと一定位相シフトされたバージョンとを含む基本シーケンスのセットを表す、
５）前記少なくとも１つのプロセッサが、
前記基準信号をアップリンク送信と多重化すること、ここにおいて、前記基準信号が、前記アップリンク送信とともに送信される、
を行うようにさらに構成される、
６）前記テーブル内に備えられた前記複数の基本シーケンスの各々が第１の無線アクセス技術（ＲＡＴ）に関連付けられ、前記テーブル内の前記複数の基本シーケンスの各々と、異なるＲＡＴに関連付けられた基本シーケンスのセットの各基本シーケンスとの第１のペアリングに対する第１の相互相関値が第１の相互相関しきい値以下である、
７）前記テーブル内に備えられた前記複数の基本シーケンスが、少なくとも、
−３，３，−１，−３，−１，−３，１，１，−３，−３，−１，−１，３，−３，１，３，１，１；
−３，−３，１，−３，３，３，３，−１，３，１，１，−３，−３，−３，３，−３，−１，−１；
−３，１，−３，−３，１，−３，−３，３，１，−３，−１，−３，−３，−３，−１，１，１，３；
−３，３，１，−１，−１，−１，−１，１，−１，３，３，−３，−１，１，３，−１，３，−１；
−３，−３，１，−１，−１，１，１，−３，−１，３，３，３，３，−１，３，１，３，１；
−３，−３，３，３，−３，１，３，−１，−３，１，−１，−３，３，−３，−１，−１，−１，３；
−３，−３，３，３，３，１，−３，１，３，３，１，−３，−３，３，−１，−３，−１，１；
−３，３，−１，１，３，１，−３，−１，１，１，−３，１，３，３，−１，−３，−３，−３；
−３，１，−３，−１，−１，３，１，−３，−３，−３，−１，−３，−３，１，１，１，−１，−１；
−３，−３，３，３，３，−１，−１，−３，−１，−１，−１，３，１，−３，−３，−１，３，−１；
−３，−１，３，３，−１，３，−１，−３，−１，１，−１，−３，−１，−１，−１，３，３，１；
−３，−１，−３，−１，−３，１，３，−３，−１，３，３，３，１，−１，−３，３，−１，−３；
−３，３，１，−１，−１，３，−３，−１，１，１，１，１，１，−１，３，−１，−３，−１；
−３，−１，−１，−３，１，−３，３，−１，−１，−３，３，３，−３，−１，３，−１，−１，−１；および
−３，−３，−３，１，−３，３，１，１，３，−３，−３，１，３，−１，３，−３，−３，３
のサブセットを含む、
の１つを備える装置。
【請求項１４】
１）前記異なるＲＡＴがロングタームエボリューション（ＬＴＥ）を備える、または、
２）前記第１のＲＡＴが新無線（ＮＲ）を備える、請求項１３のオプション１）に記載の装置。
【請求項１５】
ユーザ機器（ＵＥ）のコンピュータ実行可能コードを記憶するコンピュータ可読媒体であって、１つまたは複数のプロセッサで実行された時に、前記プロセッサに請求項１〜１１のいずれか一項に定義された前記方法ステップを実行させるコンピュータ可読媒体。
【手続補正２】
【補正対象書類名】明細書
【補正対象項目名】０１１０
【補正方法】変更
【補正の内容】
【０１１０】
[00120]以上の説明は、当業者が本明細書に記載された様々な態様を実践することを可能にするために提供される。これらの態様への様々な修正は当業者には容易に明らかであり、本明細書において定義された一般的な原理は他の態様に適用されてよい。したがって、特許請求の範囲は、本明細書に示された態様に限定されるものではなく、特許請求の範囲の言い回しに矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書に記載されたいかなる態様も、必ずしも他の態様よりも好ましいか、または有利であると解釈されるべきではない。別段に明記されていない限り、「いくつか」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含んでよい。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであってよく、任意のそのような組合せは、Ａ、Ｂ、またはＣのうちの１つまたは複数のメンバを含んでよい。本開示全体にわたって記載された様々な態様の要素に対するすべての構造的および機能的な均等物は、当業者に知られているか、または後に知られるようになり、参照により本明細書に明確に組み込まれ、特許請求の範囲によって包含されるものである。その上、本明細書で開示された何ものも、そのような開示が特許請求の範囲に明示的に列挙されているかどうかにかかわらず、公に供するものではない。「モジュール」、「機構」、「要素」、「デバイス」などという単語は、「手段」という単語の代用ではない場合がある。そのため、いかなるクレーム要素も、その要素が「のための手段」という語句を使用して明確に列挙されていない限り、ミーンズプラスファンクションとして解釈されるべきではない。
以下に本願の出願当初の特許請求の範囲に記載された発明を付記する。
［Ｃ１］
ユーザ機器（ＵＥ）のためのワイヤレス通信の方法であって、
テーブルから取得された基本シーケンスを使用して基準信号を生成すること、前記テーブルが、しきい値を下回るピーク対平均電力比（ＰＡＰＲ）を各々が有する複数の基本シーケンスを含む、と、
前記基準信号を基地局に送信することと
を備える方法。
［Ｃ２］
前記テーブル内に備えられた前記複数の基本シーケンスの各々が第１の無線アクセス技術（ＲＡＴ）に関連付けられ、第１のシーケンスセットＰＡＰＲメトリックが、異なるＲＡＴに関連付けられた第２のシーケンスセットＰＡＰＲメトリックよりも低い、Ｃ１に記載の方法。
［Ｃ３］
前記異なるＲＡＴがロングタームエボリューション（ＬＴＥ（登録商標））を備える、Ｃ２に記載の方法。
［Ｃ４］
前記第１のＲＡＴが新無線（ＮＲ）を備える、Ｃ３に記載の方法。
［Ｃ５］
各基本シーケンスが１８のシーケンス長を有する、Ｃ１に記載の方法。
［Ｃ６］
前記テーブルが、第１の基本シーケンスと、前記第１の基本シーケンスのシンボルごとの反転、前記第１の基本シーケンスのシンボルごとの共役、または前記第１の基本シーケンスのシンボルごとの共役および反転、のうち少なくとも１つとを備えるシーケンスの少なくとも１つのペアを備える、Ｃ１に記載の方法。
［Ｃ７］
前記複数の基本シーケンスが、前記テーブル内に備えられた少なくとも１つの基本シーケンスの時間サイクリックシフトされたバージョンと一定位相シフトされたバージョンとを含む基本シーケンスのセットを表す、Ｃ１に記載の方法。
［Ｃ８］
前記基準信号をアップリンク送信と多重化すること、ここにおいて、前記基準信号が、前記アップリンク送信とともに送信される、
をさらに備える、Ｃ１に記載の方法。
［Ｃ９］
前記テーブル内に備えられた前記複数の基本シーケンスの各々が第１の無線アクセス技術（ＲＡＴ）に関連付けられ、前記テーブル内の前記複数の基本シーケンスの各々と、異なるＲＡＴに関連付けられた基本シーケンスのセットの各基本シーケンスとの第１のペアリングに対する第１の相互相関値が第１の相互相関しきい値以下である、Ｃ１に記載の方法。
［Ｃ１０］
前記テーブル内の前記複数の基本シーケンス内の基本シーケンスの各ペアリングに対する第２の相互相関値が第２の相互相関しきい値を下回る、Ｃ９に記載の方法。
［Ｃ１１］
前記テーブル内に備えられた前記複数の基本シーケンスが、少なくとも、
−３，３，−１，−３，−１，−３，１，１，−３，−３，−１，−１，３，−３，１，３，１，１；
−３，−３，１，−３，３，３，３，−１，３，１，１，−３，−３，−３，３，−３，−１，−１；
−３，１，−３，−３，１，−３，−３，３，１，−３，−１，−３，−３，−３，−１，１，１，３；
−３，３，１，−１，−１，−１，−１，１，−１，３，３，−３，−１，１，３，−１，３，−１；
−３，−３，１，−１，−１，１，１，−３，−１，３，３，３，３，−１，３，１，３，１；
−３，−３，３，３，−３，１，３，−１，−３，１，−１，−３，３，−３，−１，−１，−１，３；
−３，−３，３，３，３，１，−３，１，３，３，１，−３，−３，３，−１，−３，−１，１；
−３，３，−１，１，３，１，−３，−１，１，１，−３，１，３，３，−１，−３，−３，−３；
−３，１，−３，−１，−１，３，１，−３，−３，−３，−１，−３，−３，１，１，１，−１，−１；
−３，−３，３，３，３，−１，−１，−３，−１，−１，−１，３，１，−３，−３，−１，３，−１；
−３，−１，３，３，−１，３，−１，−３，−１，１，−１，−３，−１，−１，−１，３，３，１；
−３，−１，−３，−１，−３，１，３，−３，−１，３，３，３，１，−１，−３，３，−１，−３；
−３，３，１，−１，−１，３，−３，−１，１，１，１，１，１，−１，３，−１，−３，−１；
−３，−１，−１，−３，１，−３，３，−１，−１，−３，３，３，−３，−１，３，−１，−１，−１；および
−３，−３，−３，１，−３，３，１，１，３，−３，−３，１，３，−１，３，−３，−３，３
のサブセットを含む、Ｃ１に記載の方法。
［Ｃ１２］
ユーザ機器（ＵＥ）のワイヤレス通信のための装置であって、
テーブルから取得された基本シーケンスを使用して基準信号を生成するための手段、前記テーブルが、しきい値を下回るピーク対平均電力比（ＰＡＰＲ）を各々が有する複数の基本シーケンスを含む、と、
前記基準信号を基地局に送信するための手段と
を備える装置。
［Ｃ１３］
前記テーブル内に備えられた前記複数の基本シーケンスの各々が第１の無線アクセス技術（ＲＡＴ）に関連付けられ、第１のシーケンスセットＰＡＰＲメトリックが、異なるＲＡＴに関連付けられた第２のシーケンスセットＰＡＰＲメトリックよりも低い、Ｃ１２に記載の装置。
［Ｃ１４］
前記異なるＲＡＴがロングタームエボリューション（ＬＴＥ）を備える、Ｃ１３に記載の装置。
［Ｃ１５］
前記第１のＲＡＴが新無線（ＮＲ）を備える、Ｃ１４に記載の装置。
［Ｃ１６］
各基本シーケンスが１８のシーケンス長を有する、Ｃ１２に記載の装置。
［Ｃ１７］
前記テーブルが、第１の基本シーケンスと、前記第１の基本シーケンスのシンボルごとの反転、前記第１の基本シーケンスのシンボルごとの共役、または前記第１の基本シーケンスのシンボルごとの共役および反転、のうち少なくとも１つとを備えるシーケンスの少なくとも１つのペアを備える、Ｃ１２に記載の装置。
［Ｃ１８］
前記複数の基本シーケンスが、前記テーブル内に備えられた少なくとも１つの基本シーケンスの時間サイクリックシフトされたバージョンと一定位相シフトされたバージョンとを含む基本シーケンスのセットを表す、Ｃ１２に記載の装置。
［Ｃ１９］
前記基準信号をアップリンク送信と多重化するための手段、ここにおいて、前記基準信号が、前記アップリンク送信とともに送信される、
をさらに備える、Ｃ１２に記載の装置。
［Ｃ２０］
前記テーブル内に備えられた前記複数の基本シーケンスの各々が第１の無線アクセス技術（ＲＡＴ）に関連付けられ、前記テーブル内の前記複数の基本シーケンスの各々と、異なるＲＡＴに関連付けられた基本シーケンスのセットの各基本シーケンスとの第１のペアリングに対する第１の相互相関値が第１の相互相関しきい値以下である、Ｃ１２に記載の装置。
［Ｃ２１］
前記テーブル内の前記複数の基本シーケンス内の基本シーケンスの各ペアリングに対する第２の相互相関値が第２の相互相関しきい値を下回る、Ｃ２０に記載の装置。
［Ｃ２２］
前記テーブル内に備えられた前記複数の基本シーケンスが、少なくとも、
−３，３，−１，−３，−１，−３，１，１，−３，−３，−１，−１，３，−３，１，３，１，１；
−３，−３，１，−３，３，３，３，−１，３，１，１，−３，−３，−３，３，−３，−１，−１；
−３，１，−３，−３，１，−３，−３，３，１，−３，−１，−３，−３，−３，−１，１，１，３；
−３，３，１，−１，−１，−１，−１，１，−１，３，３，−３，−１，１，３，−１，３，−１；
−３，−３，１，−１，−１，１，１，−３，−１，３，３，３，３，−１，３，１，３，１；
−３，−３，３，３，−３，１，３，−１，−３，１，−１，−３，３，−３，−１，−１，−１，３；
−３，−３，３，３，３，１，−３，１，３，３，１，−３，−３，３，−１，−３，−１，１；
−３，３，−１，１，３，１，−３，−１，１，１，−３，１，３，３，−１，−３，−３，−３；
−３，１，−３，−１，−１，３，１，−３，−３，−３，−１，−３，−３，１，１，１，−１，−１；
−３，−３，３，３，３，−１，−１，−３，−１，−１，−１，３，１，−３，−３，−１，３，−１；
−３，−１，３，３，−１，３，−１，−３，−１，１，−１，−３，−１，−１，−１，３，３，１；
−３，−１，−３，−１，−３，１，３，−３，−１，３，３，３，１，−１，−３，３，−１，−３；
−３，３，１，−１，−１，３，−３，−１，１，１，１，１，１，−１，３，−１，−３，−１；
−３，−１，−１，−３，１，−３，３，−１，−１，−３，３，３，−３，−１，３，−１，−１，−１；および
−３，−３，−３，１，−３，３，１，１，３，−３，−３，１，３，−１，３，−３，−３，３
のサブセットを含む、Ｃ１２に記載の装置。
［Ｃ２３］
ユーザ機器（ＵＥ）のワイヤレス通信のための装置であって、
メモリと、
前記メモリに結合され、
テーブルから取得された基本シーケンスを使用して基準信号を生成すること、前記テーブルが、しきい値を下回るピーク対平均電力比（ＰＡＰＲ）を各々が有する複数の基本シーケンスを含む、と、
前記基準信号を基地局に送信することと
を行うように構成された少なくとも１つのプロセッサと
を備える装置。
［Ｃ２４］
前記テーブル内に備えられた前記複数の基本シーケンスの各々が第１の無線アクセス技術（ＲＡＴ）に関連付けられ、第１のシーケンスセットＰＡＰＲメトリックが、異なるＲＡＴに関連付けられた第２のシーケンスセットＰＡＰＲメトリックよりも低い、Ｃ２３に記載の装置。
［Ｃ２５］
前記異なるＲＡＴがロングタームエボリューション（ＬＴＥ）を備える、Ｃ２４に記載の装置。
［Ｃ２６］
前記第１のＲＡＴが新無線（ＮＲ）を備える、Ｃ２４に記載の装置。
［Ｃ２７］
各基本シーケンスが１８のシーケンス長を有する、Ｃ２３に記載の装置。
［Ｃ２８］
前記テーブルが、第１の基本シーケンスと、前記第１の基本シーケンスのシンボルごとの反転、前記第１の基本シーケンスのシンボルごとの共役、または前記第１の基本シーケンスのシンボルごとの共役および反転、のうち少なくとも１つとを備えるシーケンスの少なくとも１つのペアを備える、Ｃ２３に記載の装置。
［Ｃ２９］
前記複数の基本シーケンスが、前記テーブル内に備えられた少なくとも１つの基本シーケンスの時間サイクリックシフトされたバージョンと一定位相シフトされたバージョンとを含む基本シーケンスのセットを表す、Ｃ２３に記載の装置。
［Ｃ３０］
前記少なくとも１つのプロセッサが、
前記基準信号をアップリンク送信と多重化すること、ここにおいて、前記基準信号が、前記アップリンク送信とともに送信される、
を行うようにさらに構成される、Ｃ２３に記載の装置。
［Ｃ３１］
前記テーブル内に備えられた前記複数の基本シーケンスの各々が第１の無線アクセス技術（ＲＡＴ）に関連付けられ、前記テーブル内の前記複数の基本シーケンスの各々と、異なるＲＡＴに関連付けられた基本シーケンスのセットの各基本シーケンスとの第１のペアリングに対する第１の相互相関値が第１の相互相関しきい値以下である、Ｃ２３に記載の装置。
［Ｃ３２］
前記テーブル内の前記複数の基本シーケンス内の基本シーケンスの各ペアリングに対する第２の相互相関値が第２の相互相関しきい値を下回る、Ｃ３１に記載の装置。
［Ｃ３３］
前記テーブル内に備えられた前記複数の基本シーケンスが、少なくとも、
−３，３，−１，−３，−１，−３，１，１，−３，−３，−１，−１，３，−３，１，３，１，１；
−３，−３，１，−３，３，３，３，−１，３，１，１，−３，−３，−３，３，−３，−１，−１；
−３，１，−３，−３，１，−３，−３，３，１，−３，−１，−３，−３，−３，−１，１，１，３；
−３，３，１，−１，−１，−１，−１，１，−１，３，３，−３，−１，１，３，−１，３，−１；
−３，−３，１，−１，−１，１，１，−３，−１，３，３，３，３，−１，３，１，３，１；
−３，−３，３，３，−３，１，３，−１，−３，１，−１，−３，３，−３，−１，−１，−１，３；
−３，−３，３，３，３，１，−３，１，３，３，１，−３，−３，３，−１，−３，−１，１；
−３，３，−１，１，３，１，−３，−１，１，１，−３，１，３，３，−１，−３，−３，−３；
−３，１，−３，−１，−１，３，１，−３，−３，−３，−１，−３，−３，１，１，１，−１，−１；
−３，−３，３，３，３，−１，−１，−３，−１，−１，−１，３，１，−３，−３，−１，３，−１；
−３，−１，３，３，−１，３，−１，−３，−１，１，−１，−３，−１，−１，−１，３，３，１；
−３，−１，−３，−１，−３，１，３，−３，−１，３，３，３，１，−１，−３，３，−１，−３；
−３，３，１，−１，−１，３，−３，−１，１，１，１，１，１，−１，３，−１，−３，−１；
−３，−１，−１，−３，１，−３，３，−１，−１，−３，３，３，−３，−１，３，−１，−１，−１；および
−３，−３，−３，１，−３，３，１，１，３，−３，−３，１，３，−１，３，−３，−３，３
のサブセットを含む、Ｃ２３に記載の装置。
［Ｃ３４］
ユーザ機器（ＵＥ）のコンピュータ実行可能コードを記憶するコンピュータ可読媒体であって、
テーブルから取得された基本シーケンスを使用して基準信号を生成すること、前記テーブルが、しきい値を下回るピーク対平均電力比（ＰＡＰＲ）を各々が有する複数の基本シーケンスを含む、と、
前記基準信号を基地局に送信することと
を行うように１つまたは複数のプロセッサに指示するコードを備えるコンピュータ可読媒体。
［Ｃ３５］
前記テーブル内に備えられた前記複数の基本シーケンスの各々が第１の無線アクセス技術（ＲＡＴ）に関連付けられ、第１のシーケンスセットＰＡＰＲメトリックが、異なるＲＡＴに関連付けられた第２のシーケンスセットＰＡＰＲメトリックよりも低い、Ｃ３４に記載のコンピュータ可読媒体。
［Ｃ３６］
前記異なるＲＡＴがロングタームエボリューション（ＬＴＥ）を備える、Ｃ３５に記載のコンピュータ可読媒体。
［Ｃ３７］
前記第１のＲＡＴが新無線（ＮＲ）を備える、Ｃ３６に記載のコンピュータ可読媒体。
［Ｃ３８］
各基本シーケンスが１８のシーケンス長を有する、Ｃ３４に記載のコンピュータ可読媒体。
［Ｃ３９］
前記テーブルが、第１の基本シーケンスと、前記第１の基本シーケンスのシンボルごとの反転、前記第１の基本シーケンスのシンボルごとの共役、または前記第１の基本シーケンスのシンボルごとの共役および反転、のうち少なくとも１つとを備えるシーケンスの少なくとも１つのペアを備える、Ｃ３４に記載のコンピュータ可読媒体。
［Ｃ４０］
前記複数の基本シーケンスが、前記テーブル内に備えられた少なくとも１つの基本シーケンスの時間サイクリックシフトされたバージョンと一定位相シフトされたバージョンとを含む基本シーケンスのセットを表す、Ｃ３４に記載のコンピュータ可読媒体。
［Ｃ４１］
前記基準信号をアップリンク送信と多重化すること、ここにおいて、前記基準信号が、前記アップリンク送信とともに送信される、
を行うように前記１つまたは複数のプロセッサに指示するコードをさらに備える、Ｃ３４に記載のコンピュータ可読媒体。
［Ｃ４２］
前記テーブル内に備えられた前記複数の基本シーケンスの各々が第１の無線アクセス技術（ＲＡＴ）に関連付けられ、前記テーブル内の前記複数の基本シーケンスの各々と、異なるＲＡＴに関連付けられた基本シーケンスのセットの各基本シーケンスとの第１のペアリングに対する第１の相互相関値が第１の相互相関しきい値以下である、Ｃ３４に記載のコンピュータ可読媒体。
［Ｃ４３］
前記テーブル内の前記複数の基本シーケンス内の基本シーケンスの各ペアリングに対する第２の相互相関値が第２の相互相関しきい値を下回る、Ｃ４２に記載のコンピュータ可読媒体。
［Ｃ４４］
前記テーブル内に備えられた前記複数の基本シーケンスが、少なくとも、
−３，３，−１，−３，−１，−３，１，１，−３，−３，−１，−１，３，−３，１，３，１，１；
−３，−３，１，−３，３，３，３，−１，３，１，１，−３，−３，−３，３，−３，−１，−１；
−３，１，−３，−３，１，−３，−３，３，１，−３，−１，−３，−３，−３，−１，１，１，３；
−３，３，１，−１，−１，−１，−１，１，−１，３，３，−３，−１，１，３，−１，３，−１；
−３，−３，１，−１，−１，１，１，−３，−１，３，３，３，３，−１，３，１，３，１；
−３，−３，３，３，−３，１，３，−１，−３，１，−１，−３，３，−３，−１，−１，−１，３；
−３，−３，３，３，３，１，−３，１，３，３，１，−３，−３，３，−１，−３，−１，１；
−３，３，−１，１，３，１，−３，−１，１，１，−３，１，３，３，−１，−３，−３，−３；
−３，１，−３，−１，−１，３，１，−３，−３，−３，−１，−３，−３，１，１，１，−１，−１；
−３，−３，３，３，３，−１，−１，−３，−１，−１，−１，３，１，−３，−３，−１，３，−１；
−３，−１，３，３，−１，３，−１，−３，−１，１，−１，−３，−１，−１，−１，３，３，１；
−３，−１，−３，−１，−３，１，３，−３，−１，３，３，３，１，−１，−３，３，−１，−３；
−３，３，１，−１，−１，３，−３，−１，１，１，１，１，１，−１，３，−１，−３，−１；
−３，−１，−１，−３，１，−３，３，−１，−１，−３，３，３，−３，−１，３，−１，−１，−１；および
−３，−３，−３，１，−３，３，１，１，３，−３，−３，１，３，−１，３，−３，−３，３
のサブセットを含む、Ｃ３４に記載のコンピュータ可読媒体。